(57)【特許請求の範囲】
【請求項１】
しゃ断器本体のケース内に、主回路接点を開閉操作する揺動式の開閉レバーをフレームに該フレームと直交する方向に揺動可能に軸支した開閉機構部、および開閉機構部に組み付けられ、引外し動作に連動して該フレームに沿ってスライド動作する警報出力板を備え、前記開閉機構部を前記ケース内に該フレームがケースの長手方向と直交するように配置するとともに、前記ケースの上面側に、主回路接点のＯＮ／ＯＦＦ状態を電気信号で検出する補助スイッチ，ないしは引外し動作を電気信号で検出する警報スイッチを装着する複数の付属スイッチ収納部を左右に並べて形成し、該付属スイッチ収納部に装着した補助スイッチ、ないし警報スイッチを前記開閉機構部の開閉レバーの開閉動作と警報出力板のスライド動作により開閉操作するようにした回路遮断器において、
前記開閉レバー，および警報出力板のそれぞれに、その機械的な出力信号を前記収納部にセットした付属スイッチに伝達する出力突起片を各付属スイッチ収納部と個々に対峙するように左右に振り分けて形成し、かつ開閉レバーの出力突起片と警報出力板の出力突起片を相対的に左右にずらして配置したことを特徴とする回路しゃ断器。
【請求項２】
請求項１記載の回路しゃ断器において、補助スイッチ，警報スイッチとしての付属スイッチが、ケースの付属スイッチ収納部に装着するカセット式のユニットケースと、該ユニットケースに組み込んだ接点機構と、該接点機構の動作レバーと、該動作レバーに結合してユニットケースの前方に引出した連動アームとの組立体からなり、かつ補助スイッチと警報スイッチとで連動アームの結合位置を変え、ケースへの組み込み位置で補助スイッチの連動アームを開閉レバーの出力突起片に連繋させ、警報スイッチの連動アームを警報出力板の出力突起片に連繋させるようにしたことを特徴とする回路しゃ断器。
【発明の詳細な説明】
【０００１】
【発明の属する技術分野】
本発明は、低圧配電設備の過電流保護を目的とした配線用しゃ断器などを対象に、その内装付属装置（オプション品）として主回路接点のＯＮ／ＯＦＦ状態，引外し動作を電気的信号で検出する補助スイッチ，警報スイッチを装備した回路しゃ断器に関する。
【０００２】
【従来の技術】
まず、しゃ断器本体に内装付属装置（オプション品）として補助スイッチを装備した配線用しゃ断器の従来構成を図７に示す。図において、１はしゃ断器本体のケース（樹脂モールドケース）で、該ケース１には主回路のしゃ断部２，開閉機構部３，引外し部４などが組み込まれている。かかる構成で、しゃ断部２の主回路接点はハンドル５の手動操作による開閉機構部３の動作で開閉される。また、主回路に過電流が流れた場合には引外し部４の出力信号により開閉機構部３がトリップ動作して主回路接点を開極させる。ここで、開閉機構部３には開閉レバー６を組合せてその先端をしゃ断部２の可動接触子の組立体（図示せず）と連繋し、開閉機構部３の動作に連動して開閉レバー６を揺動操作し、主回路接点を開閉するようにしている。
【０００３】
また、内装付属装置としての補助スイッチ７は、ケース１の上面側に形成した付属ユニット収納部にカセット式に装着されており、この装着位置で補助スイッチ７から引出した動作レバー７ａを前記開閉レバー６に形成した出力突起片６ａに対峙させ、主回路接点の開閉動作に連動して補助スイッチ７の接点を開閉し、主回路のＯＮ／ＯＦＦ状態を電気的信号として検出するようにしている。
【０００４】
また、前記の構成とは別に、回路しゃ断器の引外し動作に連動してスライド動作する警報出力板を開閉機構部に組合せ、該警報出力板の機械的な出力信号を警報スイッチ（内装付属装置）に伝達して該スイッチを開閉し、引外し動作を電気信号で検出するようにしたものも知られている。
【０００５】
【発明が解決しようとする課題】
ところで、従来の回路しゃ断器では、内装付属装置である補助スイッチの装着位置，および警報スイッチの装着位置があらかじめ個別に指定されており、この指定位置にセットした状態で補助スイッチと開閉レバーの出力突起片、および警報スイッチと警報出力板の出力突起片とが１対１で連繋するようにしている。
【０００６】
このために、ユーザーの仕様変更に合わせて既設の補助スイッチを警報スイッチに置き換えたり、逆に警報スイッチを補助スイッチに置き換えて使用するといったフレキシブルな組合せには対応できない。
本発明は上記の点に鑑みなされたものであり、その目的は、内装付属装置としてしゃ断器本体に装着する補助スイッチ，警報スイッチを、その装着位置が制約を受けずに自由な組合せで装着できるよう改良してバリエーションの拡大化を図った回路しゃ断器を提供することにある。
【０００７】
【課題を解決するための手段】
上記目的を達成するために、本発明によれば、しゃ断器本体のケース内に、主回路接点を開閉操作する揺動式の開閉レバーをフレームに該フレームと直交する方向に揺動可能に軸支した開閉機構部、および開閉機構部に組み付けられ、引外し動作に連動して該フレームに沿ってスライド動作する警報出力板を備え、前記開閉機構部を前記ケース内に該フレームがケースの長手方向と直交するように配置するとともに、前記ケースの上面側に、主回路接点のＯＮ／ＯＦＦ状態を電気信号で検出する補助スイッチ，ないしは引外し動作を電気信号で検出する警報スイッチを装着する複数の付属スイッチ収納部を左右に並べて形成し、該付属スイッチ収納部に装着した補助スイッチ、ないし警報スイッチを前記開閉機構部の開閉レバーの開閉動作と警報出力板のスライド動作により開閉操作するようにした回路遮断器において、
前記開閉レバー，および警報出力板のそれぞれに、その機械的な出力信号を前記収納部にセットした付属スイッチに伝達する出力突起片を各付属スイッチ収納部と個々に対峙するように左右に振り分けて形成し、かつ開閉レバーの出力突起片と警報出力板の出力突起片を相対的に左右にずらして配置する（請求項１）。
【０００８】
また、前記の構成において、補助スイッチ，警報スイッチとしての付属スイッチは、しゃ断器ケースの付属スイッチ収納部にセットするカセット式のユニットケースと、該ユニットケースに組み込んだ接点機構と、該接点機構の動作レバーと、該動作レバーに結合してユニットケースの前方に引出した連動アームとの組立体で構成し、かつ補助スイッチと警報スイッチとで連動アームの結合位置を変え、ケースへの組み込み位置で補助スイッチの連動アームを開閉レバーの出力突起片に連繋させ、警報スイッチの連動アームを警報出力板の出力突起片に連繋させるように構成するものとする（請求項２）。
【０００９】
上記の構成によれば、付属スイッチ（内装付属装置）としてしゃ断器本体のケースに装着する補助スイッチ，警報スイッチは、その装着位置，組合せに制約を受けることなく自由に組合せて装着することができ、これにより付属スイッチのバリエーションを大幅に拡大できる。
また、補助スイッチ，警報スイッチとして使用する付属スイッチは、そのユニットケース，接点機構，動作レバーを共通部品とし、動作レバーに結合する連動アームの取付位置を付属スイッチの種類に合わせて変更するだけで、補助スイッチ，あるいは警報スイッチとして機能させることができ、これにより部品の共通化が図れる。
【００１０】
【発明の実施の形態】
以下、本発明の実施の形態を図１〜図６に示す実施例に基づいて説明する。なお、実施例の図中で図７に対応する部材には同じ符号を付してその詳細な説明は省略する。
まず、図１，図２において、ケース１の上面側には付属スイッチ収納部１ａ，１ｂが左右に並んで形成されており、ここに詳細構造を後記するカセット式の補助スイッチ７，および警報スイッチ９が差込み式に装着されている。
【００１１】
また、しゃ断器本体の開閉機構部３には、遮断部２の主回路接点を開閉操作する揺動式開閉レバー６の他に、しゃ断器の引外し動作に連動してスライド動作する警報出力板８が組付けてある。そして、開閉レバー６，および警報出力板８には、ケース１に形成した前記の付属スイッチ収納部１ａ，１ｂと個々に対峙するように出力突起片６ａ，および８ａが左右二箇所に振り分けて突き出し形成されており、かつ開閉レバー６の出力突起片６ａと警報出力板８の出力突起片８ａとは相対的に左右に位置をずらして配置している。
【００１２】
図３(a) 〜(c) は前記開閉機構部３の組立構造を示すものであり、開閉レバー６は開閉機構部３の動作により支軸６ｂの回りに揺動し、この動きに合わせて左右一対の出力突起片６ａが上下動する。一方、警報出力板８は開閉機構部３のフレームに添わせて付設されており、定常状態では図示のリセット位置に係止保持されており、引外し部３（図２参照）に連繋したラッチ受け３ａと開閉機構部３のラッチとの係合が外れてトリップ動作すると、これの動作に連動して警報出力板８が付勢ばね８ｂのばね力を受け上方向にスライド移動し、この動きに連れて左右一対の出力突起片８ａが上昇移動する。
【００１３】
一方、前記した付属スイッチ収納部１ａ，１ｂに装着する補助スイッチ７，警報スイッチ９は、いずれも図４(a) 〜(c) ，図５(a) 〜(c) に示すような構造の付属スイッチ１０を基本とした共通部品で構成されている。すなわち、付属スイッチ１０はユニットケース１０ａと、ユニットケース１０ａに組み込んだ固定接触子１０ｂ，ばね式の可動接触子１０ｃからなる接点機構と、可動接触子１０ｃに連繋する動作レバー１０ｄと、一端を動作レバー１０ｄに結合してユニットケース１０ａの前方に引き出した連動アーム１０ｅと、端子１０ｆとの組立体からなり、かつユニットケース１０の前面には、先記した開閉レバー６の出力突起片６ａ，および警報出力板８の出力突起片８ａと個別に向かい合うように連動アーム１０ｅを引き出すための窓穴１０ａ-1，および１０-2が左右に位置をずらして開口している。なお、図示例の補助スイッチ７，警報スイッチ９は、いずれも接点機構がａ接点であるが、ｂ接点，あるいはｃ接点に変更して実施することもできる。
【００１４】
ここで、図４に示す補助スイッチ７では、動作レバー１０ｄに結合した連動アーム１０ｅが右側の窓穴１０-1に突出し、図５に示す警報スイッチ９では連動アーム１０ｅが左側の窓穴１０-2に突出すようにして組立ててある。
そして、図６(a),(b) で示すように、ケース１に補助スイッチ７，警報スイッチ９を装着した状態では、補助スイッチ７のユニットケースから突出した連動アームは開閉レバー６の出力突起片６ａと対峙し（図６(a) 参照）、警報スイッチ９のユニットケースから突出した連動アームは警報出力板８の出力突起片８ａと対峙する（図６(b) 参照）ようになる。この位置関係は、補助スイッチ７と警報スイッチ９の装着位置を左右に入れ替えた場合、さらにはケース１に２個の補助スイッチ７，あるいは２個の警報スイッチ９をセットした場合でも同様である。したがって、補助スイッチの装着位置，組合せに関係なく、補助スイッチ７には開閉レバー６の機械的な信号が伝達され、警報スイッチ９には警報出力板８の機械的な信号が伝達される。
【００１５】
つまり、回路しゃ断器の内装付属装置としてケース１に形成した補助スイッチ収納部に補助スイッチ７，もしくは警報スイッチ９を装着する場合に、その装着位置に規制を受けることがなく、補助スイッチ，警報スイッチを自由に組合せて使用することができる。
【００１６】
【発明の効果】
以上述べたように、本発明の構成によれば、回路しゃ断器の付属スイッチ（内装付属装置）として本体ケースに装着する補助スイッチ，警報スイッチは、その装着位置，組合せに制約を受けることなくユーザーの仕様に合わせて装着することができ、これにより付属スイッチのバリエーションを大幅に拡大できる。
【００１７】
また、補助スイッチ，警報スイッチとして使用する付属スイッチは、そのユニットケース，接点機構，動作レバーを共通部品とし、動作レバーに結合する連動アームの取付位置を付属スイッチの種類に合わせて変更するだけで、補助スイッチ，あるいは警報スイッチとして機能させることができ、これにより部品の共通化が図れるなど、内装付属装置に関してフレキシビリティの高い回路しゃ断器を提供することができる。
【図面の簡単な説明】
【図１】本発明の実施例による回路しゃ断器の主要部構造を表す平面図
【図２】図１の側面図
【図３】図１における開閉機構部の構造図であり、(a) は組立状態の外観斜視図、(b),(c) はそれぞれ(a) 図における開閉レバー，警報出力板の斜視図
【図４】図１における補助スイッチの構成図であり、(a) は外観斜視図、(b),(c) はそれぞれ(a) 図の縦断側面図，内部構造の正面図
【図５】図１における警報スイッチの構成図であり、(a) は外観斜視図、(b),(c) はそれぞれ(a) 図の縦断側面図，内部構造の正面図
【図６】図１の補足説明図であり、(a),(b) はそれぞれ開閉レバー，および警報出力板と補助スイッチ，警報スイッチとの連繋状態を表す図
【図７】内装付属装置として補助スイッチを装着した配線用しゃ断器の従来例の概要構成図
【符号の説明】
１    しゃ断器本体のケース
２    しゃ断部
３    開閉機構部
４    引外し部
６    開閉レバー
６ａ  出力突起片
７    補助スイッチ
８    警報出力板
８ａ  出力突起片
９    警報スイッチ
１０    補助スイッチ
１０ａ  ユニットケース
１０ａ-1，１０-2  窓穴
１０ｂ  固定接触子
１０ｃ  可動接触子
１０ｄ  動作レバー
１０ｅ  連動アーム
【図１】
0003985423.tif 000002
【図２】
0003985423.tif 000003
【図３】
0003985423.tif 000004
【図４】
0003985423.tif 000005
【図５】
0003985423.tif 000006
【図６】
0003985423.tif 000007
【図７】
0003985423.tif 000008